(57)【要約】【課題】機器間の入出力インピーダンスや、ラインインピーダンスの高い通信ケーブルから、非接触で高レベルかつ高精度で雑音信号を検出する。【解決手段】通信ケーブル（被測定ケーブル）１１に混入している雑音信号を非接触で検出する信号検出手段として、中心部に内層絶縁体１３０を介して通信ケーブル１１が挿通される円筒状の内部電極１１０と、外層絶縁体１４０を介して内部電極１１０の周りに同軸的に配置される円筒状の外部接地電極１２０とを備えている容量性電圧プローブ１００を用いる。【選択図】  図３
2004325212.tif 000002
【特許請求の範囲】
【請求項１】
被測定ケーブルから非接触で雑音信号を検出する信号検出手段および測定器本体を備え、上記測定器本体に、上記信号検出手段にて検出された雑音信号を所定の周波数帯ごとに弁別する周波数弁別手段と、上記周波数帯ごとに弁別された雑音信号を時間データとともに記憶する記憶手段と、上記記憶手段から所定の雑音信号を読み出して表示手段に表示させる制御手段とが含まれている雑音検出装置において、
上記信号検出手段として、非接触型の容量性電圧プローブを用いることを特徴とする雑音検出装置。
【請求項２】
上記容量性電圧プローブが、中心部に内層絶縁体を介して上記被測定ケーブルが挿通される円筒状の内部電極と、外層絶縁体を介して上記内部電極の周りに同軸的に配置される円筒状の外部接地電極とを備えていることを特徴とする請求項１に記載の雑音検出装置。
【請求項３】
上記容量性電圧プローブが、開閉可能な一対のクランプアームを含むクランプ型であることを特徴とする請求項１または２に記載の雑音検出装置。
【請求項４】
上記内層絶縁体が、上記被測定ケーブルの外径とほぼ等しい内径で中心部分に穿設されたケーブル挿通孔と、上記外周面側から上記ケーブル挿通孔にかけて半径方向に形成された開閉可能なスリットとを有する円筒体からなり、上記被測定ケーブルと上記内部電極のいずれに対しても着脱自在であることを特徴とする請求項２または３に記載の雑音検出装置。
【請求項５】
上記内層絶縁体が、高誘電率の誘電材からなることを特徴とする請求項２，３または４に記載の雑音検出装置。
【請求項６】
上記内層絶縁体が、弾性材からなることを特徴とする請求項２ないし５のいずれか１項に記載の雑音検出装置。
【請求項７】
上記容量性電圧プローブの出力段には上記測定器本体に対する高入力インピーダンスの入力回路が接続され、上記入力回路の入力側には、少なくとも商用周波数帯域のノイズをカットし得るハイパスフィルタが設けられていることを特徴とする請求項１ないし６のいずれか１項に記載の雑音検出装置。
【請求項８】
上記ハイパスフィルタが、パッシブ型の高耐圧素子からなることを特徴とする請求項７に記載の雑音検出装置。
【請求項９】
上記制御手段は、上記表示手段に上記雑音信号のレベルを上記周波数帯ごとに所定の指定周期で時系列的に表示させる記録データ確認表示モードを備えていることを特徴とする請求項１ないし８のいずれか１項に記載の雑音検出装置。
【請求項１０】
上記制御手段は、上記表示手段に全測定期間にわたっての上記雑音信号のピーク値を上記周波数帯ごとに表示させるピーク値表示モードを備えていることを特徴とする請求項１ないし９のいずれか１項に記載の雑音検出装置。
【請求項１１】
上記ピーク値表示モードにおいて、上記表示手段には上記ピーク値の時間情報が併せて表示されることを特徴とする請求項１０に記載の雑音検出装置。
【発明の詳細な説明】
【０００１】
【発明の属する技術分野】
本発明は、通信ケーブルなどに混入している雑音信号を非接触で検出する雑音検出装置に関し、さらに詳しく言えば、雑音検出レベルを高く、かつ、高精度とする技術に関するものである。
【０００２】
【従来の技術】
通信機器のノイズによるトラブルが近年ますます増加している。その主な原因としては、ＩＳＤＮ（総合デジタル通信網）のバス配線やアナログ電話回線，それにＬＡＮケーブルなどの種々の通信配線や電源ラインを侵入経路として伝搬する妨害波によるものが大半を占めている。
【０００３】
ケーブルを伝わってくる妨害波は、主にコモンモードを伝搬して通信機器に侵入するため、その誤動作解明のためにはコモンモードノイズを検出する必要がある。そのための雑音検出装置として、例えば特許文献１が知られている。
【０００４】
特許文献１による雑音検出装置においては、電磁結合型の電流プローブにより通信ケーブルから非接触で雑音信号を検出し、その検出信号を所定の周波数帯ごとに弁別して直流電圧に変換して演算し、その結果得られた雑音レベルを周波数帯ごとに数値もしくはレベルメータなどにて一括表示する。また、各周波数帯ごとにピーク値を検出したり、各周波数帯ごとに時系列的に蓄積されたデータを印刷し、所定の回線を介して外部機器にデータ転送することもできる。
【０００５】
【特許文献１】
特開２００２−２５７８７９号公報
【０００６】
【発明が解決しようとする課題】
上記雑音検出装置によれば、電磁結合型の電流プローブにより非接触で雑音信号を検出するようにしているため、通信ケーブルの実運用状態での雑音レベルを測定することができる。
【０００７】
また、スペクトルアナライザやオシロスコープなどに比較して、安価であり携帯性にも優れている。さらには、一部の周波数帯の雑音のみではなく、各周波数帯の雑音を同時に検出・表示するようにしているため、発生雑音に対してトータル的なノイズ対策の支援ができる。
【０００８】
しかしながら、信号検出手段として電磁結合型の電流プローブを用いているため、機器間の入出力インピーダンスや、ラインインピーダンスの高い通信ケーブルにおいては、電源ラインなどに比較して流れる電流が少ないため、検出し得る雑音レベルが低くなってしまうことがある。
【０００９】
したがって、本発明の第１の課題は、機器間の入出力インピーダンスや、ラインインピーダンスの高い通信ケーブルから、高レベルかつ高精度で雑音信号を検出できるようにすることにある。また、本発明の第２の課題は、発生雑音に対してトータル的なノイズ対策の支援をより効果的とするため、各周波数帯の雑音レベルを解析しやすい態様で表示することにある。
【００１０】
【課題を解決するための手段】
上記第１の課題を解決するため、本発明は、被測定ケーブルから非接触で雑音信号を検出する信号検出手段および測定器本体を備え、上記測定器本体に、上記信号検出手段にて検出された雑音信号を所定の周波数帯ごとに弁別する周波数弁別手段と、上記周波数帯ごとに弁別された雑音信号を時間データとともに記憶する記憶手段と、上記記憶手段から所定の雑音信号を読み出して表示手段に表示させる制御手段とが含まれている雑音検出装置において、上記信号検出手段として、非接触型の容量性電圧プローブを用いることを特徴としている。
【００１１】
容量性電圧プローブによれば、被測定ケーブルのラインインピーダンスやそれによって接続されている機器間の入出力インピーダンスが高い場合でも、被測定ケーブルに含まれている雑音信号を高レベルで検出することができる。
【００１２】
本発明において、上記容量性電圧プローブは、中心部に内層絶縁体を介して上記被測定ケーブルが挿通される円筒状の内部電極と、外層絶縁体を介して上記内部電極の周りに同軸的に配置される円筒状の外部接地電極とを備えていることが好ましく、これによれば、特定の周波数帯ではその周波数に無関係にほぼ一定の感度が得られる。操作性の観点からして、上記容量性電圧プローブには、開閉可能な一対のクランプアームを含むクランプ型プローブが好ましく採用される。
【００１３】
また、上記内層絶縁体は、上記被測定ケーブルの外径とほぼ等しい内径で中心部分に穿設されたケーブル挿通孔と、上記外周面側から上記ケーブル挿通孔にかけて半径方向に形成された開閉可能なスリットとを有する円筒体からなり、上記被測定ケーブルと上記内部電極のいずれに対しても、着脱自在であることが好ましい。
【００１４】
これによれば、ケーブル挿通孔の内径の大きさが異なる複数種類の内層絶縁体を用意しておき、その中から被測定ケーブルの外径に合うものを選択することにより、常に被測定ケーブルを容量性電圧プローブの中心に位置させることができる。
【００１５】
検出感度を高めるうえで、上記内層絶縁体には高誘電率の誘電材を用い、また、被測定ケーブルに対する形状的な適合性の観点からすれば、上記内層絶縁体はゴムなどの弾性材からなることが好ましい。
【００１６】
上記容量性電圧プローブの出力段には、高入力インピーダンスの例えばＪ（Ｊｕｎｃｔｉｏｎ）−ＦＥＴオペアンプもしくはＦＥＴ（電界効果トランジスタ）からなる上記測定器本体に対する入力回路が接続されるが、本発明の好ましい態様によると、隣接する例えば商用電源ラインからのノイズによる影響を排除するため、上記入力回路の入力側に少なくとも商用周波数帯域のノイズをカットし得るハイパスフィルタが設けられる。この場合、上記ハイパスフィルタとしては、パッシブ型の高耐圧素子が好ましく採用される。
【００１７】
上記第２の課題を解決するため、本発明において、上記制御手段は、上記表示手段に上記雑音信号のレベルを上記周波数帯ごとに所定の指定周期で時系列的に表示させる記録データ確認表示モードを備えていることを特徴としている。
【００１８】
また、別の特徴として、上記制御手段は、上記表示手段に全測定期間にわたっての上記雑音信号のピーク値を上記周波数帯ごとに表示させるピーク値表示モードを備えている。このピーク値表示モードにおいて、上記表示手段には上記ピーク値の時間情報が併せて表示されることが好ましい。
【００１９】
【発明の実施形態】
次に、図面を参照して、本発明のいくつかの実施形態について説明するが、本発明はこれに限定されるものではない。
【００２０】
まず、図１に本発明による雑音検出装置の全体的なイメージを示す。この雑音検出装置は、信号検出手段としての非接触型の容量性電圧プローブ（以下、単に電圧プローブという。）１００と、その検出信号を所定に処理して雑音信号のレベルを表示する測定器本体２００とを備えている。
【００２１】
この例において、被測定ケーブルは通信機器１０に接続されている通信ケーブル１１である。測定器本体２００は携帯可能な大きさであり、例えばパソコン２１，オシロスコープ２２および検出雑音を可聴するためのイヤホン２３などの外部機器が接続可能である。
【００２２】
次に、図２により測定器本体２００の構成について説明する。測定器本体２００は、その入力段に電圧プローブ１００からの微弱な雑音信号を所定のレベルにまで増幅する増幅器２１０を備えており、その出力側には周波数弁別手段としての複数の帯域フィルタ２２０が並列的に接続されている。
【００２３】
各帯域フィルタ２２０には、それぞれ異なる通過帯域周波数ｆ１〜ｆｎが割り当てられている。この通過帯域周波数ｆ１〜ｆｎは任意に決められてよい。また、各帯域フィルタ２２０は、パッシブ型フィルタ，アクティブ型フィルタのいずれであってもよい。
【００２４】
各帯域フィルタ２２０には、フィルタ出力信号を整流して直流電圧に変換する直流電圧変換部２２１と、この直流電圧変換部２２１から順次出力される直流電圧の前回値と今回値とを比較して大きな方を保持するピークホールド部２２２とがそれぞれ接続されている。
【００２５】
各ピークホールド部２２２は、所定の周期（例えば１秒間隔）で繰り返し動作し、その周期内のピーク値を制御手段としての演算制御部２３０に出力する。演算制御部２３０は、そのピーク値を各周波数帯ごとに識別し、それらの各ピーク値に測定時刻を付して記憶部２４０に格納する。測定時刻は、測定が行われた現実の日，時，分，秒の単位であってもよいし、測定開始時点からの通算時間のいずれであってもよい。
【００２６】
演算制御部２３０は、図示しない例えばキーボードなどの操作部からの指示に基づいて、記憶部２４０から各周波数帯ごとのピーク値を読み出して、そのピーク値データを例えば液晶パネルからなる表示部２５０に表示し、あるいはデータ転送部２６０から上記パソコン２１などの外部機器に出力したり、プリンタ２７０からプリントアウトする。
【００２７】
次に、図３の外観図と図４の等価回路により、電圧プローブ１００の構成について説明する。本発明で用いる電圧プローブ１００は、円筒状の内部電極１１０と、この内部電極１１０の周りに同軸的に配置される円筒状の外部接地電極１２０とを備えている。
【００２８】
内部電極１１０の内周面側には、円筒状の内層絶縁体１３０が設けられており、内層絶縁体１３０の中心に被測定ケーブルとしての通信ケーブル１１が挿通される。また、内部電極１１０と外部接地電極１２０との間にも、円筒状の外層絶縁体１４０が介装されている。
【００２９】
図４の等価回路を参照して、通信ケーブル１１と内部電極１１０との結合容量をＣ１，内部電極１１０と外部接地電極１２０との結合容量をＣ２とすると、これらの結合容量Ｃ１，Ｃ２はきわめて小さいため、電圧プローブ１００の出力段には、高入力インピーダンスの例えばＪ−ＦＥＴオペアンプのボルテージフォロワ回路からなるの入力回路２０１が接続され、この入力回路２０１から測定器本体２００の増幅器２１０に出力電圧ＶＯＵＴが与えられる。なお、入力回路２０１は電圧プローブ１００，測定器本体２００のいずれに含まれてもよい。
【００３０】
入力回路２０１の入力容量をＣＩＮ，入力抵抗をＲＩＮとすると、通信ケーブル１１の混入雑音電圧ＶＩＮと出力電圧ＶＯＵＴの関係は、次式（１）によって表される。
ＶＯＵＴ＝ｊωＣ１ＲＩＮＶＩＮ／｛１＋ｊωＲＩＮ（Ｃ１＋Ｃ２＋ＣＩＮ）｝…（１）
ここで、ωＲＩＮ（Ｃ１＋Ｃ２＋ＣＩＮ）≫１である周波数範囲においては、次式（２）
ＶＯＵＴ＝Ｃ１ＶＩＮ／（Ｃ１＋Ｃ２＋ＣＩＮ）…（２）
となり、周波数に無関係に一定の感度が得られる。
【００３１】
したがって、この電圧プローブ１００を用いることにより、通信ケーブル１１のラインインピーダンスやそれによって接続されている機器間の入出力インピーダンスが高い場合でも、通信ケーブル１１に含まれている雑音信号を高レベルで検出することができ、雑音を解析して雑音対策を講ずるうえで役立つ。
【００３２】
ところで、被測定通信ケーブル１１に隣接して例えば商用電源ラインなどが存在すると、その電源ラインから強いノイズが発生されることと、入力回路２０１の入力インピーダンスがきわめて大きいため、その商用周波数ノイズにより入力回路２０１が飽和してしまい、目的とする通信ケーブル１１の雑音信号を検出できない場合がある。この商用周波数ノイズ対策の一つとして、回路の電源電圧を高圧にする方法が知られているが、携帯用には適さない。
【００３３】
そこで、本発明においては、図５に示すように、入力回路２０１の入力側に抵抗ＲとコンデンサＣとからなるパッシブ型のハイパスフィルタを設けて、商用周波数ノイズをカットするようにしている。そのカットオフ周波数は次のようにして求められる。
【００３４】
図６の等価回路を参照して、Ｃ，Ｃ２およびＣＩＮの合成容量をＣＰ、ＲとＲＩＮの合成抵抗をＲＰとすると、通信ケーブル１１の混入雑音電圧ＶＩＮと出力電圧ＶＯＵＴの関係は、上記の式（１）と同じく次式（３）によって表される。式（３）の右辺の分母と分子をそれぞれｊωＣ１ＲＰで割って中間式（３ａ）とし、さらに中間式（３ｂ），（３ｃ）を経ることにより、ＶＯＵＴ／ＶＩＮの関係を示す次式（４）が導かれる。
【数１】
2004325212.tif 000003
【００３５】
ここで、感度（ｄＢ）が１／√２、すなわち−３ｄＢとなるカットオフ周波数をｆｃとすると、その角速度ωｃは、ωｃ＝２πｆｃであるから、上記式（４）の右辺中の大括弧内は次式（５）となる。同式（５）の分母同士では次式（５ａ）の関係となり、これを整理して次式（５ｂ）によりωｃを求める。したがって、カットオフ周波数ｆｃは次式（６）により１／２π（Ｃ１＋ＣＰ）ＲＰとして表される。
【数２】
2004325212.tif 000004
【００３６】
図７に、入力回路２０１にカットオフ周波数ｆｃを設定した場合の周波数−検出感度グラフを示す。このように、入力回路２０１の入力段に、コンデンサＣと抵抗Ｒとを追加的に接続することにより、カットオフ周波数ｆｃが任意に設定可能となり、検出したい周波数帯においては感度を一定とし、商用周波数はカットすることにより、入力回路２０１の飽和現象を改善することができる。
【００３７】
次に、電圧プローブ１００により通信ケーブル１１から非接触でその雑音電圧を検出する場合、内部電極１１０内で通信ケーブル１１がその中心位置からずれると、通信ケーブル１１と内部電極１１０との間の結合容量が変化するため、感度が変わってしまうことがある。特に、通信ケーブル１１の外径が小さくなるほど、位置ずれが生じやすい。
【００３８】
これを防止するため、図８に示すように、本発明では内層絶縁体１３０を通信ケーブル１１に対する固定治具として用いる。すなわち、内層絶縁体１３０は円筒状の独立した部品として形成され、中心部に通信ケーブル１１の外径とほぼ等しい内径のケーブル挿通孔１３１を備え、その外周面側からケーブル挿通孔１３１にかけての半径方向に沿ってスリット１３２が形成されている。
【００３９】
この例において、内層絶縁体１３０はゴム弾性体からなり、スリット１３２より開閉可能であり、通信ケーブル１１に対して簡単に取り付けることができる。そして、その外周面に内部電極１１０を被せることにより、通信ケーブル１１が電圧プローブ１００の中心に位置することになり、通信ケーブル１１の位置ずれによる感度変化が防止される。
【００４０】
これによれば、ケーブル挿通孔１３１の内径の大きさが異なる複数種類の内層絶縁体１３０を用意しておき、その中から測定しようとする通信ケーブル１１の外径に合うものを選択することにより、常に通信ケーブル１１を電圧プローブ１００の中心に位置させることができる。
【００４１】
また、電圧プローブ１００については、図９に示すように、ノブ１５１を操作することによって開閉される一対のクランプアーム１５２，１５３を備えたクランプ型プローブとすることが操作性の観点から好ましい。なお、ノブ１５１によるアーム開閉機構には、公知のものをそのまま採用することができる。
【００４２】
この場合には、図３に示す内部電極１１０，外部電極１２０および外層絶縁体１４０を直径方向に２分割として、各クランプアーム１５２，１５３内に収納する。これによれば、通信ケーブル１１に取り付けられている内層絶縁体１３０を各クランプアーム１５１，１５２にて挟むだけでよく、その作業性が大幅に改善される。
【００４３】
なお、検出感度を高めるうえで、内層絶縁体１３０には高誘電率の誘電材を用いることが好ましい。また、内層絶縁体１３０を硬質材にて形成する場合には、その硬質円筒体を直径方向に２分割とし、例えば一方の端部にヒンジを設けて開閉可能とするとよい。
【００４４】
次に、図１０および図１１を参照して、本発明が特徴としている表示モードについて説明する。測定中に雑音レベルを測定器本体２００の表示部２５０に実時間表示させることもできるが、本発明では測定終了後において、記録データを確認するための記録データ確認表示モードと、ピーク値を一括して表示するピーク値表示モードとを備えている。
【００４５】
その前提として、上記したように各ピークホールド部２２２は、所定の周期（この例ではインターバル１秒）で繰り返し動作し、その各周期内の雑音レベルのもっとも大きなピーク値を保持する。演算制御部２３０は、各周波数帯（ｆ１〜ｆｎ）ごとのピーク値を測定時刻とともに記憶部２４０に格納する。
【００４６】
測定終了後に、図示しない例えばキーボードなどの操作部にて記録データ確認表示モードが選択されると、図１０に示すように、測定開始時点から測定終了時点まで、この例では１秒間隔で表示部２５０の画面が切り替わり、その各画面に各周波数帯（ｆ１〜ｆｎ）ごとに雑音レベルがバーグラフ状に表示される。
【００４７】
また、各画面には付帯的情報として、記録間隔（ピークホールド部２２２の動作周期），測定日および測定時刻が表示される。この表示例によると、記録間隔（Ｉｎｔｅｒｖａｌ）が１秒であり、測定日が２００３年１月２８日で、測定開始時刻が１０時００分００秒，測定終了時刻は１０時３０分００秒で、その間の雑音レベルが１秒ごとに時系列的に表示される。
【００４８】
これに対して、ピーク値表示モードが選択されると、図１１（ａ）に示すように、各周波数帯（ｆ１〜ｆｎ）の全測定期間を通してのピーク値のみが一括して表示される。このピーク値表示モードにおいては、画面の上部に例えば逆三角形のカーソルＣが現れる。
【００４９】
この例において、カーソルＣはデフォルトで周波数帯ｆ１の上部に現れ、付帯的情報として、その周波数帯ｆ１のピーク値が発生した時刻（この表示例では、１０時７分１８秒）が併せて表示される。カーソルＣを図示しないカーソルキーにて図１１（ｂ）に示すように、例えば周波数帯ｆ３の上に移動させると、その周波数帯ｆ３におけるピーク値の発生時刻（この表示例では、１０時２１分４秒）が表示される。
【００５０】
なお、周波数帯（ｆ１〜ｆｎ）の数が多く、１画面内で一括して表示しきれない場合には、周波数帯を例えば下位と上位の２つのグループに分けて表示させればよい。また、不要なデータがあった場合やデータが不要となった場合には、その場で削除して別の測定に移ることができる。
【００５１】
表示については、バークラフ表示に代えて、例えば図１２（ａ）に示すような多チャンネルグラフ表示、もしくは図１２（ｂ）に示すような表形式としてもよい。測定器本体２００から外部機器としての例えばパソコン２１にデータを転送する場合、パソコン２１が備えている大画面であれば、図１２（ａ）（ｂ）に示す表示形態を容易に採用することができる。
【００５２】
いずれにしても、長期にわたる無人監視が可能であり、例えばなにかの通信トラブルが生じた場合には、各周波数帯の雑音レベルを時系列に表示させ、その時間を照らし合わせることにより、その原因を突き止めることができる。
【００５３】
【発明の効果】
以上説明したように、本発明によれば、信号検出手段として非接触型の容量性電圧プローブを用いることにより、機器間の入出力インピーダンスや、ラインインピーダンスの高い被測定ケーブルから、高レベルかつ高精度で雑音信号を検出することができる。
【００５４】
また、上記容量性電圧プローブを、中心部に内層絶縁体を介して被測定ケーブルが挿通される円筒状の内部電極と、外層絶縁体を介して内部電極の周りに同軸的に配置される円筒状の外部接地電極とを備えた構成とすることにより、特定の周波数帯ではその周波数に無関係にほぼ一定の感度を得ることができる。
【００５５】
上記容量性電圧プローブをクランプ式とすることにより、非接触測定の作業性が大幅に改善される。また、上記内層絶縁体を、被測定ケーブルの外径とほぼ等しい内径で中心部分に穿設されたケーブル挿通孔と、その外周面側からケーブル挿通孔にかけて半径方向に形成された開閉可能なスリットとを有する円筒体からなるケーブル固定治具として用いることにより、常に被測定ケーブルを容量性電圧プローブの中心に位置させることができる。
【００５６】
また、測定器本体に対する高入力インピーダンスの入力回路に、商用周波数帯域のノイズをカットし得る抵抗とコンデンサとからなるハイパスフィルタを設けることにより、被測定ケーブルに隣接して電源ラインが配線されている場合における入力回路の飽和現象を避けることができる。
【００５７】
さらに、雑音レベルの表示モードとして、雑音信号のレベルを周波数帯ごとに所定の指定周期で時系列的に表示させる記録データ確認表示モードと、全測定期間にわたっての雑音信号のピーク値を周波数帯ごとに表示させるピーク値表示モードとを備えていることにより、発生雑音に対してトータル的なノイズ対策の支援をより効果的に行うことができる。
【図面の簡単な説明】
【図１】本発明による雑音検出装置の全体的なイメージを示す模式図。
【図２】上記雑音検出装置が備える測定器本体の構成を示す概略的なブロック図。
【図３】上記雑音検出装置が備える電圧プローブを模式的に示す外観斜視図。
【図４】図３に示す電圧プローブの等価回路図。
【図５】上記電圧プローブに測定器本体のハイパスフィルタを有する入力回路を接続した状態を示す模式図。
【図６】図５の電圧プローブと入力回路とを含む等価回路図。
【図７】上記ハイパスフィルタにより設定されるカットオフ周波数と検出感度との関係を示すグラフ。
【図８】上記電圧プローブの内層絶縁体をケーブル固定治具として兼用する実施形態を示す斜視図。
【図９】上記電圧プローブをクランプ型プローブとした実施形態を示す正面図。
【図１０】本発明が備える記録データ確認表示モードを説明するための画面図。
【図１１】本発明が備えるピーク値表示モードを説明するための画面図。
【図１２】本発明が備える別の表示モードを示す画面図。
【符号の説明】
１０  通信機器
１１  通信ケーブル（被測定ケーブル）
１００  電圧プローブ
１１０  内部電極
１２０  外部接地電極
１３０  内層絶縁体
１３１  ケーブル挿通孔
１３２  スリット
１４０  外層絶縁体
１５１  ノブ
１５２，１５３  クランプアーム
２００  測定器本体
２０１  入力回路
２２０  帯域フィルタ２２０
２２１  直流電圧変換部
２２２  ピークホールド部
２３０  演算制御部
２４０  記憶部
２５０  表示部
２６０  データ転送部
【図１】
2004325212.tif 000005
【図２】
2004325212.tif 000006
【図３】
2004325212.tif 000007
【図４】
2004325212.tif 000008
【図５】
2004325212.tif 000009
【図６】
2004325212.tif 000010
【図７】
2004325212.tif 000011
【図８】
2004325212.tif 000012
【図９】
2004325212.tif 000013
【図１０】
2004325212.tif 000014
【図１１】
2004325212.tif 000015
【図１２】
2004325212.tif 000016